(57)【特許請求の範囲】
【請求項１】
自走してまたは被牽引により走行する機体（１）に、飼料作物を受け入れるホッパ（２）と、飼料作物をベールに成形する成形部（３）と、成形した飼料作物をラッピングする梱包部（４）とを、その順に並列させて装備せしめた飼料の成形梱包装置において、成形部（３）の下方に、機体（１）の左右の巾に略対応する巾で前後方向に長い底壁状に形成した受樋（５０）と、この受樋（５０）の上面に対し下方回行側が対向して受樋（５０）上の被搬送物を搬送する無端の搬送帯（５１）と、からなるコンベア（５２）を、無端の搬送帯（５１）の下方回行側による搬送方向が後方から前方に向かうよう構成して装架し、このコンベア（５２）の搬送方向の前端側に、横送りコンベア（５５）を接続して設け、この横送りコンベア（５５）の搬送方向の終端側を、機体（１）の一側に突出させ、その突出端部に、吸引口を連通させて吹上ブロワー（５６）を接続して設け、その吹上ブロワー（５６）の吐出口に、機体（１）の外面に沿って立ち上がる放出シュート（５７）を接続し、その放出シュート（５７）の上端に、吐出口がホッパ（２）の上方開放口に向かうディフレクタ（５８）を前記放出シュート（５７）の軸芯線を略旋回中心として旋回自在に接続して設けたことを特徴とする飼料の成形梱包装置におけるこぼれ飼料の回収装置。
【請求項２】
自走してまたは被牽引により走行する機体（１）に、飼料作物を受け入れるホッパ（２）と、飼料作物をベールに成形する成形部（３）と、成形した飼料作物をラッピングする梱包部（４）とを、その順に並列させて装備せしめた飼料の成形梱包装置において、成形部（３）の下方に、機体（１）の左右の巾に略対応する巾で前後に長い底壁状に形成した受樋（５０）と、この受樋（５０）の上面に対し下方回行側が対向して受樋（５０）上の被搬送物を搬送する無端の搬送帯（５１）と、からなるコンベア（５２）を、無端の搬送帯（５１）の下方回行側による搬送方向が後方から前方に向かうよう構成して装架し、このコンベア（５２）の搬送方向の前端側に横送りコンベア（５５）を接続して設け、この横送りコンベア（５５）の搬送方向の終端側を、機体（１）の一側に突出させ、その突出端部に、吸引口を連通させて吹上ブロワー（５６）を接続して設け、その吹上ブロワー（５６）の吐出口に、機体（１）の外面に沿って立ち上がる放出シュート（５７）を接続し、その放出シュート（５７）の上端に、吹出口がホッパ（２）の上方開放口に向かうディフレクタ（５８）を前記放出シュート（５７）の軸芯線を略旋回中心として旋回自在に接続して設け、成形部（３）と梱包部（４）との間に設ける移送路（Ｕ）には、成形部（３）から放出されるロールベール（Ｒ）を支承して梱包部（４）のベール載置台（４０）に向け転動させる床（６０）を、飼料の透過を阻止するフラットな板状に形成して設け、この床（６０）の前端側を、前記コンベア（５２）の受樋（５０）の後端側に接続し、床（６０）の上面側には、ロールベール（Ｒ）を押し出す移送ロール（６２０）を、床（６０）上面から距離をおいた位置において前後に往復動するよう装架し、この移送ロール（６２０）に、下縁（６３０）が床（６０）上面に摺接してこぼれ飼料を掻き払うスクレパー（６３）を、ロールベール（Ｒ）を押し出していく行程時には下縁（６３０）が非作用位置に浮き上がるよう制御せしめて、移送ロール（６２０）とともに前後に往復動するよう支持せしめたことを特徴とする飼料の成形梱包装置におけるこぼれ飼料の回収装置。
【請求項３】
成形部（３）と梱包部（４）との間に、成形部（３）から排出される成形し終えたロールベール（Ｒ）を梱包部（４）のベール載置台（４０）に移送するよう設ける移送路（Ｕ）の後端側に、その移送路（Ｕ）の床（６０）の後端部から、梱包部（４）のベール載置台（４０）に向け、延出する延長床（７０）を、基端の取付軸（７１）により上下に傾斜回動自在に連結軸支し、かつ、バネ（７２）の負荷により押し上げられる支え（７３）によりベール載置台（４０）に向け斜め上向きに傾斜する姿勢に保持せしめて設けたことを特徴とする請求項２記載の飼料の成形梱包装置におけるこぼれ飼料の回収装置。
【発明の詳細な説明】
【技術分野】
【０００１】
本発明は、ホッパに受け入れた飼料作物を、成形部に送り込んでロールベールに成形し、次いで成形部からラッピングマシンの梱包部に送り込んで梱包する成形梱包装置において、ホッパ内に受け入れた飼料作物が、成形部に送られる間および成形部から梱包部に送られる間に、機体の下方にこぼれてロスとなるこぼれ飼料作物を、機体内に回収して処理するよう装備せしめるこぼれ飼料回収装置についての改良に関する。
【背景技術】
【０００２】
飼料作物を成形し梱包する成形梱包装置は、通常、自走して走行する機体またはトラクタにより牽引されて走行する被牽引型の機体１に、図１にあるように、飼料作物を受け入れるホッパ２と、飼料作物を成形する成形部３と、成形したベールＲをラップして梱包するラッピングマシンよりなる梱包部４とを、その順に並列装架することで構成してあり、飼料作物を成形し梱包する作業は、機体を、飼料作物の収穫を行うハーベスタに伴走させて、ハーベスタにより収穫され、細断処理された状態となってハーベスタのブロワーにより吹き上げられて放出される飼料作物を、ホッパ２に受け入れ、そのホッパ２の後端部に設けた排出口２１からコンベアにより成形部３の受入口３０に送り込んで、成形部３のチャンバ内に設けたロール成形機構３１によりロールベールＲに成形し、成形し終えたロールベールＲを成形部３のリヤチャンバ３ａを開放して後方に排出し、それを梱包部４のベール載置台４０上に移送してラッピングフィルムによりラップして梱包し、それを圃場に放出していくようにすることで行っている。
【０００３】
この成形梱包装置により飼料作物を成形し梱包する作業を行う際、ホッパ２内に投入された飼料作物がコンベアにより成形部３に送り込まれてロールベールＲに成形されていく成形工程及び形成部３のリヤチャンバ３ａを開放して成形し終えたロールベールを梱包部４のベール載置台４０に移動させる移送工程において、ホッパ２と成形部３との間の飼料作物の搬送路、及び成形部３と梱包部４との間のロールベールＲの移送路には、機体の下方にこぼれ落ちる飼料作物のこぼれが発生する。
【０００４】
このこぼれ落ちる飼料作物の量は、１％程度で、農業機械のロス率として考えるとそれほどのものではないが、飼料作物をベールに成形する機械として、１００個ベール成形を行うと、１個の割合でロスが出ることになることで、このこぼれ飼料を回収するようにしている。
【０００５】
このこぼれ飼料の回収処理は、従前にあっては、オペレータ等の作業に従事する人が、作業の途中で、ほうきにより掃き集めて回収することで行うか、機体の下面側に、こぼれ飼料を受け止めて機体内に戻す回収処理装置を設けて、これにより回収処理するようにしている。
【０００６】
機体の下方に落ちるこぼれ飼料を人がほうきで掃き集める手段は、一度地面に落ちた飼料を回収することで雑菌等の混入による汚染の懸念がある。また、機体に回収処理装置を付設する手段は、従前のものにあっては、図２に示しているように、機体１に装架した成形部３の下方から梱包部４のベール載置台４０の手前に至る間に、上面側が後方に回動し下面側が前方に戻り回動するようエンドレスに回動するコンベアａを設けて、成形部３のリヤチャンバ３ａの開放により放出されるロールベールＲを、このコンベアａの上面側で受け止め、このロールベールＲをコンベアａにより梱包部４のベール載置台４０に向け移動させるようにし、かつ、このコンベアａは、ロールベールＲは支承するが、こぼれ飼料は透過するスラットコンベア状に形成して、戻り回動側の下面側に、透過したこぼれ飼料を受け止めて回収する受樋ｂを配設して、この受樋ｂ上に回収したこぼれ飼料を、コンベアａの戻り回動側の下周面により前方に戻すようにしておいて、その受樋ｂの戻し側の終端側に、戻されてきたこぼれ飼料を集合させる溜部ｃを設け、ここに集めたこぼれ飼料を揚送装置ｄでホッパ２の後端部または成形部３の前端部に再投入していくように構成したものである。
【０００７】
この従前の、こぼれ飼料の回収手段は、成形部３の下面側に、成形し終えたロールベールＲを支承して、梱包部４のベール載置台４０に向け搬送させるよう設けるコンベアａの戻り回動側を、こぼれ飼料の回収に用いることから、ロールベールＲの移送手段である梱包ａの移送方向の終端部と梱包部４のベール載置台４０との間のつなぎ部において、ロールベールＲの周面から脱落するようにこぼれ落ちるこぼれ飼料の回収が行えず、このつなぎ部に生じるこぼれ飼料が、ロスとなる問題がある。また、移動するロールベールＲからこぼれ落ちるこぼれ飼料が、コンベアａに引き掛かって、梱包部４に流れることから、つなぎ部に、多くのこぼれ飼料を生ぜしめる問題がある。
【０００８】
また、回収したこぼれ飼料を、機体外部に取り出す場合は、溜部ｃの一部を開放して地面に排出し、機体を移動させて、人手により回収することから、雑菌等の汚染の懸念が生ずるものである。
【０００９】
成形梱包装置は、飼料の成形・梱包作業の際、作業の最後に機内にベールの成形が不可能な量の飼料が残ったとき、これを、ロスとせず、機外に取り出して飼料として有効に利用するようにする。この作業の終了時に、１個のベールの成形には足らないことで機体内に残る飼料の取り出しは、ホッパ２の前面側の扉を開けて前方に排出するか、成形部３のリヤチャンバ３ａを開けて、搬送部に排出し、スコップなりローダなりで後処理することで行い、人手を要するものである。
【００１０】
機体の下面側にこぼれ飼料の回収処理手段を設けた前述の成形梱包は、ベール成形に足らない量として機内に残った飼料を、成形部３のリヤチャンバ３ａを開けて、回収処理手段のコンベアａ上に落とし、溜部ｃに集めるようにできるが、溜部ｃに集めた飼料を、ホッパ１内に戻すようにしてあるだけで、機外に取り出す手段がなく、機外に取り出すときは、溜部ｃの一部を開放して地面に排出するようにしなければならないので、取り出す残留飼料に雑菌の混入による汚染の問題がでてくる。
【発明の開示】
【発明が解決しようとする課題】
【００１１】
本発明において解決しようとする課題は、飼料作物の成形・梱包装置に、該装置での作業の際に、飼料作物を成形・搬送する工程で発生する機体下方へのこぼれ飼料を回収して機内に再投入するように装設するこぼれ飼料の回収装置を、回収するこぼれ飼料の機外への取り出しが、飼料を地表に落とさずに行え、かつ、移送路ＵにおいてロールベールＲの周面からこぼれるこぼれ飼料が、ロールベールＲを梱包部４に向け移送させる移送手段に追従して、移送手段とベール載置台４０とのつなぎ部に流れることなく、効率的に回収でき、成形・梱包作業の終了時に、機体内に残る１個のベールの成形に足らない量の飼料の取り出しが、こぼれ飼料の回収装置の利用により、地表面に落下させることなく、行えるように構成することにある。
【課題を解決するための手段】
【００１２】
上述の課題を解決するための手段として、本発明においては、自走してまたは被牽引により走行する機体１に、飼料作物を受け入れるホッパ２と、飼料作物をベールに成形する成形部３と、成形した飼料作物をラッピングする梱包部４とを、その順に並列させて装備せしめた飼料の成形梱包装置において、成形部３の下方に、機体１の左右の巾に略対応する巾で前後方向に長い底壁状に形成した受樋５０と、この受樋５０の上面に対し下方回行側が対向して受樋５０上の被搬送物を搬送する無端の搬送帯５１と、からなるコンベア５２を、無端の搬送帯５１の下方回行側による搬送方向が後方から前方に向かうよう構成して装架し、このコンベア５２の搬送方向の前端側に、横送りコンベア５５を接続して設け、この横送りコンベア５５の搬送方向の終端側を、機体１の一側に突出させ、その突出端部に、吸引口を連通させて吹上ブロワー５６を接続して設け、その吹上ブロワー５６の吐出口に、機体１の外面に沿って立ち上がる放出シュート５７を接続し、その放出シュート５７の上端に、吐出口がホッパ２の上方開放口に向かうディフレクタ５８を前記放出シュート５７の軸芯線を略旋回中心として旋回自在に接続して設けたことを特徴とする飼料の成形梱包装置におけるこぼれ飼料の回収装置を提起し、またこれに併せて、
自走してまたは被牽引により走行する機体１に、飼料作物を受け入れるホッパ２と、飼料作物をベールに成形する成形部３と、成形した飼料作物をラッピングする梱包部４とを、その順に並列させて装備せしめた飼料の成形梱包装置において、成形部３の下方に、機体１の左右の巾に略対応する巾で前後に長い底壁状に形成した受樋５０と、この受樋５０の上面に対し下方回行側が対向して受樋５０上の被搬送物を搬送する無端の搬送帯５１と、からなるコンベア５２を、無端の搬送帯５１の下方回行側による搬送方向が後方から前方に向かうよう構成して装架し、このコンベア５２の搬送方向の前端側に横送りコンベア５５を接続して設け、この横送りコンベア５５の搬送方向の終端側を、機体１の一側に突出させ、その突出端部に、吸引口を連通させて吹上ブロワー５６を接続して設け、その吹上ブロワー５６の吐出口に、機体１の外面に沿って立ち上がる放出シュート５７を接続し、その放出シュート５７の上端に、吹出口がホッパ２の上方開放口に向かうディフレクタ５８を前記放出シュート５７の軸芯線を略旋回中心として旋回自在に接続して設け、成形部３と梱包部４との間に設ける移送路Ｕには、成形部３から放出されるロールベールＲを支承して梱包部４のベール載置台４０に向け転動させる床６０を、飼料の透過を阻止するフラットな板状に形成して設け、この床６０の前端側を、前記コンベア５２の受樋５０の後端側に接続し、床６０の上面側には、ロールベールＲを押し出す移送ロール６２０を、床６０上面から距離をおいた位置において前後に往復動するよう装架し、この移送ロール６２０に、下縁６３０が床６０上面に摺接してこぼれ飼料を掻き払うスクレパー６３を、ロールベールＲを押し出していく行程時には下縁６３０が非作用位置に浮き上がるよう制御せしめて、移送ロール６２０とともに前後に往復動するよう支持せしめたことを特徴とする飼料の成形梱包装置におけるこぼれ飼料の回収装置を提起し、さらに、
成形部３と梱包部４との間に、成形部３から排出される成形し終えたロールベールＲを梱包部４のベール載置台４０に移送するよう設ける移送路Ｕの後端側に、その移送路Ｕの床６０の後端部から、梱包部４のベール載置台４０に向け、延出する延長床７０を、基端の取付軸７１により上下に傾斜回動自在に連結軸支し、かつ、バネ７２の負荷により押し上げられる支え７３によりベール載置台４０に向け斜め上向きに傾斜する姿勢に保持せしめて設けたことを特徴とする飼料の成形梱包装置におけるこぼれ飼料の回収装置を提起するものである。
【発明の効果】
【００１３】
本発明手段は、回収するこぼれ飼料が、地表に落とすことなく機外に取り出せるようになり、また、成形したロールベールＲを梱包部４のベール載置台４０に移送路Ｕに生ずるこぼれ飼料が、移送路Ｕを移送されるロールベールＲに追従して、つなぎ部に流れるのを抑止するようになって、こぼれ飼料のロスを少なくする。また、１個のベールに足らない量の飼料として機内に残った飼料を、こぼれ回収装置を利用して、地表に落とすことなく機外に取りさせるようになる。
【発明を実施するための最良の形態】
【００１４】
次に本発明手段の実施の態様を、実施例につき図面に従い詳述する。
【実施例１】
【００１５】
図３・図４は、本発明を実施せる飼料作物の成形梱包装置を示し、図３は平面図、図４は一部を断面で表した側面図である。これら図において、１は機体、２はこの機体１に装架した飼料作物を受け入れるホッパ、３は飼料作物をベールに成形する成形部、４は成形したロールベールＲをフィルムでラップして梱包する梱包部、５は、ホッパ２から排出された飼料作物が成形部３に送り込まれてロールベールＲに成形される間に生ずるこぼれ飼料を回収して機内に戻すよう成形部３の下方に設けたこぼれ回収装置、６は、成形部３から排出されたロールベールＲを梱包部４に移送する移送路Ｕに生ずるこぼれ飼料を回収して機内に戻すようロールベールＲの移送路に設けたこぼれ回収装置、７は、ロールベールＲの移送路と梱包部４のベール載置台４０との間のつなぎ部に生ずるこぼれ飼料の回収装置を示す。
【００１６】
機体１は、この例においては、前端に設けた牽引桿１０を、トラクタ（図示省略）等の牽引車の車体後部に設けられる連結ヒッチに連結して牽引させることにより、前後の中間部の左右の両側に軸支せる走行輪１１によって走行する被牽引型の台車状に構成してある。
【００１７】
ホッパ２は、上方が開放する箱状に形成して、機体１上面の前端側に寄る部位に装架してある。このホッパ２は、前面側の壁板が開閉する開閉扉２０に形成してあり、後面側の壁板の下部には排出口２１が開設してある。また、該ホッパ２の内部には、床面に、前後方向に沿いエンドレスに回動して、上面側により、該ホッパ２内の飼料作物を支承して後方に搬送する搬送コンベア２ａが装架してあり、その搬送コンベア２ａの搬送方向の終端部は、排出口２１に臨ませてある。また、このホッパ２の内部で、前記搬送コンベア２ａの終端側の上方における後端側には、アジテータ２ｂが装架してある。
【００１８】
成形部３は、前述のホッパ２の排出口２１から排出される飼料作物を、受入口３０からベールチャンバ内に受け入れて、チャンバ内に設けてあるロール成形機構３１によりロールベールＲに成形するロールベーラであり、前記ホッパ２の後方に配位して機体１の前後の中間位置に装架してある。そして、該成形部３の受入口３０と前記ホッパ２の排出口２１との間には、その排出口２１から排出される飼料作物を支承して成形部３のチャンバ内に送り込む送込コンベア３２が装架してある。
【００１９】
梱包部４は、ロールベールＲを載置するベール載置台４０と、そのベール載置台４０上に載架したロールベールＲの周囲を旋回する旋回アーム４１と、その旋回アーム４１の回動端部に支架する帯状フィルムの巻束と、その巻束から帯状フィルムＦを繰り出す繰出機構とからなる通常のラップマシンであり、前記成形部３の後方に配位して機体１の後端側に装架してある。
【００２０】
この梱包部４は、それのベール載置台４０と前記成形部３との間に、その成形部３のリヤチャンバ３ａの開放により排出されるロールベールＲを受け止めて、ベール載置台４０上に誘導移動させる移送路Ｕを設けた形態として機体１に装架してあり、前記ベール載置台４０は、前述の移送路Ｕの床を支持する囲い枠状のフレームｆの前端部位に、その機枠ｆとベール載置台４０の機枠４０ａとの間に渡架せる油圧シリンダ４３の作動により後方に向けダンプ回動するように取り付け支架してある。また、前記旋回アーム４１の旋回軸を軸支する左右の支柱４４は、前記囲い枠状に形成してある機枠ｆの左右の桁枠からそれぞれ立ち上がって上端側を内向きの弧状に弯曲して連結する正面視と平面視においてゲート状をなす形状に形成し、それら支柱４４・４４の上端側の連結部位に、旋回アーム４１の旋回軸を軸支し、連結部位に装架した油圧モータＭの作動により駆動するようにしてある。
【００２１】
成形部３の下方に設けたこぼれ回収装置５は、ホッパ２の排出口２１から排出された飼料が、送込コンベア３２により成形部３の受入口３０に送り込まれて、成形部３のチャンバ内のロール成形機構３１によりロールベールＲに成形されていく成形工程において、送込コンベア３２及び成形部３の受入口３０からこぼれ落ちることで生じるこぼれ飼料を回収するためのもので、ホッパ２の後端部の下方から成形部３の前半部の下方に渡る範囲に、左右の巾を成形部３の巾に略対応させて前後方向に長い床板状に形成して機体１に固定支架した受樋５０と、下方回動側が前記受樋５０の上面側に対向して前後にエンドレスに回動するよう支架せる無端の搬送帯５１とからなるコンベア５２を装架して、このコンベア５２によりこぼれ飼料を回収するようにしている。
【００２２】
前記コンベア５２の無端の搬送帯５１は、左右に対向して回動するエンドレスのチェン間に、棒材またはスラット材を、チェンの回動方向に間隔をおいて渡架することで、スラットコンベア状に構成してあり、落下してくるこぼれ飼料が、スラット材の間を透過して受樋５０の上面に受け止められるようにしてある。
【００２３】
また、コンベア５２は、エンドレスに回動する搬送帯５１の上方回行側が前端側から後端側に向けて回動し、下方回行側が後端側から前端側に向けて戻り回動するように駆動させてあって、これにより外周面が受樋５０上面に対向して回動する搬送帯５１の下方回行側の下面の外周面により、受樋５０上に回収したこぼれ飼料を受樋５０の前端側に向け搬送するように構成してある。
【００２４】
このコンベア５２の、搬送帯５１の下方回行側によるこぼれ飼料の搬送方向の前端側には、横送りのオーガー５３を搬送樋５４内に収蔵した横送りコンベア５５が接続してあり、その横送りコンベア５５の送り方向の端部は、機体１の一側に突出し、その突出部には、吸引口がオーガー５３の送り方向の終端側に連通する吹上ブロワー５６が接続して設けられ、そのブロワー５６の吐出口には、機体１の外面に沿い立ち上がる放出シュート５７が接続し、その上端に、吐出口がホッパ２の上方開放口に向かうディフレクタ５８を、旋回により吹き出し方向の変更を可能とするよう放出シュート５７の軸芯線中心に旋回自在に接続し、かつ、旋回により所望の吹き出し方向に設定した状態において、その状態にロックし得るロック機構（図示省略）が設けてある。
【００２５】
そして、これにより、ディフレクタ５８からの吹き出し方向をホッパ２の上面側の開放口に向かうようにしたときには、成形部３とホッパ２とのつなぎ連結部位に生じてくるこぼれ飼料が、コンベア５２により横送りコンベア５５に送られ、吹上ブロワー５６の放出シュート５７の先端のディフレクタ５８からホッパ２内に再投入されていくようになり、また、ディフレクタ５８の吹き出し方向を機外に向けたときは、回収したこぼれ飼料を、ペイローダのバケット等に放出して機外に取り出せるようになる。このディフレクタ５８からのこぼれ飼料の機外への取り出しは、作業終了時に機内に残った１個のベール成形に足らない量の飼料を、機外に取り出すときにも、機内に残った飼料をコンベア５２上に落とすことで地面に落とさずに機外に取り出せるようになる。
【００２６】
こぼれ回収装置６は、成形部３のチャンバ内で、成形されたロールベールＲが、リヤチャンバ３ａの開放により、成形部３と梱包部４のベール載置台４０との間に設けられた移送路Ｕ上に放出されて、その移送路Ｕ上をベール載置台４０に向け移送されていく間に、移動していくロールベールＲの周面からこぼれるように落ちる飼料によって生じるこぼれ飼料を回収するもので、移送路Ｕに、成形部３から放出されてくるロールベールＲを支承してベール載置台４０に向け誘導するように設ける床６０を、こぼれ飼料の透過を阻止する板状に形成し、これにより、ロールベールＲの移動の間にこぼれる飼料を、この床６０により受け止めるようにしておき、かつ、この床６０の前端側を、前述の成形部３の下方に設けたこぼれ回収装置５の受樋５０の後端側に接続させておく。そして、この床６０の上面側には、この床６０上に落下したこぼれ飼料をかき寄せるスクレパー６３を床６０上面に沿い前後に移動自在に配設し、このスクレパー６３を床６０上に支承させたロールベールＲをベール載置台４０に移送する移送手段６２の作動により前後に動くようその移送手段６２に連繋させ、かつ、後方への移動時には床６０面から離れた非作用位置に切り換わるよう制御しておくことで、構成してあり、これにより、成形部３から放出されたロールベールＲがベール載置台４０に移送されていく間に生じてくるこぼれ飼料を、移送路Ｕの床６０上面に受けさせ、そのこぼれ飼料を、ロールベールＲの移送を終えた移送手段６２の戻り行程時に連繋して動くスクレパー６３が、床６０の上面に沿い浚い集めて、成形部３の下面に設けたこぼれ回収装置５の受樋５０の後端側に送り込むことで回収するようにしている。
【００２７】
床６０は、この例においては、上面がフラットな板材に形成してあり、それの左右の側縁を、機体１に設けた側枠６１に取り付け支持せしめることで、機体１に固定してある。
【００２８】
移送手段６２は、この実施例においては、前記左右の側枠６１・６１に、それぞれ、前後方向にエンドレスに回動するチェン６４・６４を張架して、左右に一対に対向させ、これらチェン６４間に移送ロール６２０を渡架するよう装架することで構成してあって、チェン６４・６４を油圧モータＭ２により正または逆に駆動することで、移送ロール６２０が、床６０上面から上方に距離をおいた位置を、前後に往復動して、ロールベールＲを押し出していく作動と、押し出した位置から成形部３の下方の待機位置に戻る戻り作動とを、床６０上に受け止められるこぼれ飼料に係わりなく行うようにしてある。
【００２９】
また、スクレパー６３は、左右の長さが床６０の左右の巾に対応する横長の帯板状に形成してあって、それの長手方向の両端部を、前記移送ロール６２０の、左右の軸端面から突出するローラ軸に図９にあるようにそのローラ軸を支点に揺動自在に軸支せる天秤状の支持部材６５に組み付け支持することで、前記天秤状の支持部材６５の揺動作動により自在に揺動回動するよう、移送ロール６２０に組み付け支架せしめてある。このスクレパー６３は、床６０に当接させる下縁６３０の側が重量により下降勝手となるようバランスさせて、前述の支持部材６５に取り付け、これにより常態において、下縁６３０が床６０上面に摺接する状態に保持せしめてある。そして、このスクレパー６３を支持する支持部材６５には、移送ロール６２０がロールベールＲを押し出して移動させていくときに、そのロールベールＲの周面に当接することでその接触圧により天秤状の支持部材６５を、図１０において反時計回りに回動させて、その支持部材６５に支持せるスクレパー６３を、バランスにより下降勝手とした下縁６３０の側が上昇するよう強制的に回動させる作動部６５０を突出させて設けておき、これにより、移送ロール６２０がロールベールＲをベール載置台４０に向け移動させていくときには、スクレパー６３は下縁６３０が床６０面から浮き上がった非作用状態の姿勢に保持され、移送ロール６２０と共に床６０の前端側の待機位置に戻るときは、前述の作動部６５０がロールベールＲの周面から離れて自由空間に位置することで下縁６３０が下降勝手となるバランス状態に戻り、下縁６３０を床６０に摺接する作用状態の姿勢に保持されるようにしてある。
【００３０】
こぼれ回収装置７は、成形したロールベールＲを梱包部４のベール載置台４０に移送する移送路Ｕの移送方向の終端部とベール載置台４０との、つなぎ部に生じるこぼれ飼料の回収装置である。
【００３１】
ベール載置台４０は、それに載置したロールベールＲに対するラップ作業が終えたとき、油圧シリンダ４３の作動により後方にダンプ回動させて、ラップし終えたロールベールＲの放出を行う。このため、ベール載置台４０は、移送手段６２の終端部から切り離された形態として機体１に装架してあり、このベール載置台４０と移送手段６２とのつなぎ部にこぼれ落ちる飼料はあ、ベール載置台４０のダンプ回動の際にこぼれ落ちてロスとなる。
【００３２】
このつなぎ部に生ずるこぼれ飼料の回収装置７は、移送手段６２の移送路Ｕの床６０の、後端部に、つなぎ部を塞ぐようベール載置台４０に向けて延出する延長床７０を、基端の取付軸７１中心の回動により上下の傾斜回動を自在に連結軸支して設け、かつ、バネ７２負荷により押し上げられる支え７３によりベール載置台４０に向け斜め上向きに傾斜する姿勢に保持せしめて構成し、これにより、ロールベールＲが乗り上がったときには、そのロールベールＲの重量で下向きに回動してロールベールＲの通過を許容し、ロールベールＲの通過による負荷の解除でバネ７２負荷により上向きに回動して傾斜姿勢に復元するようにしてある。
【００３３】
この、つなぎ部のこぼれ回収装置７の延長床７０は、図１１にあるように、移送手段６２の移送路Ｕ上を移送ロール６２０で押されて移動してくるロールベールＲが、延長床７０の手前に位置して届かないときは、バネ７２負荷により上面が傾斜上昇する姿勢に保持されている。そして、この延長床７０の上面には、前回のロールベールＲが移動していく間にロールベールＲの周面から脱落して落下することで降り積もったこぼれ飼料が、この延長床７０の傾斜で基端側に滑り落ちることで、こぼれ飼料の無い空の状態にあり、滑り落ちたこぼれ飼料は延長床７０の基端の前面に集積Ｋしている状態となっている。
【００３４】
移送ロール６２０の押し出しでロールベールＲが進むと、延長床７０は図１２にあるようにロールベールＲの重量で押し倒され、ロールベールＲはこの延長床７０の上面を転動してベール載置台４０に移動していく。
【００３５】
この移動の間にロールベールＲの周面からこぼれるこぼれ飼料は、延長床７０の上面に受け止められる。
【００３６】
この延長床７０上にこぼれたこぼれ飼料は、ベール載置台４０上のロールベールＲに対するラップ作業が終えたところで、ベール載置台４０が図１４の如くダンプ回動してロールベールＲを放出し、そのロールベールＲによる延長床７０に対する負荷が解放され、また、移送ロール６２０が図１６にあるように待機位置に戻っていき、この移送ロール６２０による延長床７０に対する荷重が解放されることで、延長床７０が傾斜姿勢に復元する作動によって、延長床７０の基端の前面に滑り落ち、そこに集積されるようになる。
【００３７】
このとき、前回のロールベールＲを移動させたときに延長床７０上にこぼれて、その延長床７０の基端前面に集められていたこぼれ飼料の集積Ｋは、戻り作動する移送ロール６２０に組み付け支架してあるスクレパー６３によって、図１６にあるように浚い出されて、回収装置５の受樋５０の後端側に送り込まれることで、この前回のこぼれ飼料の集積Ｋに代わって、今回のこぼれ飼料が延長床７０の基端前面に集積することになり、これが、次回のロールベールＲの移送の際に、回収装置６のスクレパー６３により回収されるようになる。
【図面の簡単な説明】
【００３８】
【図１】飼料の成形梱包装置の概要を説明する一部を断面で表した全体の側面図である。
【図２】飼料の成形梱包装置に付設した従前のこぼれ飼料回収装置の概要の説明図である。
【図３】本発明によるこぼれ飼料の回収装置を実施せる成形梱包装置の平面図である。
【図４】同上成形梱包装置の一部を断面で表した側面図である。
【図５】同上形成梱包装置の成形部の下方に設けたこぼれ飼料回収装置の要部の縦断した側面図である。
【図６】同上成形梱包装置の成形部の下方に設けた回収装置と移送路に設けた回収装置との縦断した側面図である。
【図７】同上成形梱包装置の後半部の平面図である。
【図８】同上成形梱包装置の後半部の一部縦断した側面図である。
【図９】同上成形梱包装置の移送路に付設せるこぼれ回収装置の一部縦断した側面図である。
【図１０】同上のこぼれ回収装置のスクレパーの作用の説明図である。
【図１１】同上成形梱包装置のつなぎ部に設けたこぼれ回収装置の作用の説明図で、移送ロールにより押し出されて移送されるロールベールが、傾斜姿勢に保持されている延長床の手前に位置している状態の説明図である。
【図１２】同上の延長床にロールベールが乗り上がった状態の説明図である。
【図１３】ロールベールがベール載置台の上に移送され、ロールベールを押し出してきた移送ロールが延長床を押し倒している状態の説明図である。
【図１４】ベール載置台がダンプ回動している状態の説明図である。
【図１５】移送ロールが戻り作動の直前にあって、延長床を押し倒している状態の説明図である。
【図１６】移送ロールが戻り作動を開始し、延長床が傾斜起立する姿勢に復帰し、床上のこぼれ飼料がスクレパーにより前方に浚い出されている状態の説明図である。
【符号の説明】
【００３９】
Ｆ    帯状フィルム
Ｋ    集積
Ｍ    油圧モータ
Ｍ２  油圧モータ
Ｒ    ロールベール
Ｕ    移送路
ａ    コンベア
ｂ    受樋
ｃ    溜部
ｄ    揚送装置
ｆ    機枠
１    機体
１０    牽引桿
１１    走行輪
２    ホッパ
２ａ  搬送コンベア
２ｂ  アジテータ
２０    開閉扉
２１    排出口
３    成形部
３ａ  リヤチャンバ
３０    受入口
３１    ロール成形機構
３２    送込コンベア
４    梱包部
４０    ベール載置台
４０ａ  機枠
４１    旋回アーム
４３    油圧シリンダ
４４    支柱
５    こぼれ回収装置
５０    受樋
５１    搬送帯
５２    コンベア
５３    オーガー
５４    搬送樋
５５    横送りコンベア
５６    吹上ブロワー
５７    放出シュート
５８    ディフレクタ
６    こぼれ回収装置
６０    床
６１    側枠
６２    移送手段
６２０    移送ロール
６３    スクレパー
６３０    下縁
６４    チェン
６５    支持部材
６５０    作動部
７    こぼれ飼料の回収装置
７０    延長床
７１    取付軸
７２    バネ
７３    支え
【図１】
0005061371.tif 000002
【図２】
0005061371.tif 000003
【図３】
0005061371.tif 000004
【図４】
0005061371.tif 000005
【図５】
0005061371.tif 000006
【図６】
0005061371.tif 000007
【図７】
0005061371.tif 000008
【図８】
0005061371.tif 000009
【図９】
0005061371.tif 000010
【図１０】
0005061371.tif 000011
【図１１】
0005061371.tif 000012
【図１２】
0005061371.tif 000013
【図１３】
0005061371.tif 000014
【図１４】
0005061371.tif 000015
【図１５】
0005061371.tif 000016
【図１６】
0005061371.tif 000017